(57)【要約】【課題】コンクリートにおける深さ方向の吸水性分布を非破壊で評価することができるようにする。【解決手段】平面位置を同じくする開口面を有する平面視円形の中心チャンバー４Ａ及び当該中心チャンバー４Ａを環状に囲む第一の環状チャンバーとしての中間チャンバー４Ｂ及び当該中間チャンバー４Ｂを環状に囲む第二の環状チャンバーとしての外周チャンバー４Ｃと、これら各チャンバー４Ａ，４Ｂ，４Ｃのそれぞれに設けられてこれら各チャンバー４Ａ，４Ｂ，４Ｃ内のそれぞれに水６を供給するための貯留部５Ａ，５Ｂ，５Ｃとを有し、貯留部５Ａ，５Ｂ，５Ｃに水６を貯めて各チャンバー４Ａ，４Ｂ，４Ｃ内に水６を供給してからの各チャンバー４Ａ，４Ｂ，４Ｃ内の水のコンクリート９による吸水量を検出するようにした。【選択図】図１
2014032126.tif 000002
【特許請求の範囲】
【請求項１】
平面位置を同じくする開口面を有する平面視円形の中心チャンバー及び当該中心チャンバーを環状に囲む環状チャンバーと、前記中心チャンバーと前記環状チャンバーとのそれぞれに設けられて前記中心チャンバー内と前記環状チャンバー内とのそれぞれに液状流体を供給するための貯留部とを有し、前記貯留部に液状流体を貯めて前記中心チャンバー内と前記環状チャンバー内とに前記液状流体を供給してからの前記中心チャンバー内の前記液状流体と前記環状チャンバー内の前記液状流体とのそれぞれのコンクリートによる吸水量を検出することを特徴とするコンクリートの吸水試験装置。
【請求項２】
平面位置を同じくする開口面を有する平面視円形の中心チャンバー及び当該中心チャンバーを環状に囲む第一の環状チャンバー及び当該第一の環状チャンバーを環状に囲む第二の環状チャンバーと、これら各チャンバーのそれぞれに設けられてこれら各チャンバー内のそれぞれに液状流体を供給するための貯留部とを有し、前記貯留部に液状流体を貯めて前記各チャンバー内に前記液状流体を供給してからの前記各チャンバー内の前記液状流体のコンクリートによる吸水量を検出することを特徴とするコンクリートの吸水試験装置。
【請求項３】
前記第二の環状チャンバーを環状に囲む第三の環状チャンバーと、当該第三の環状チャンバーを環状に囲む第四の環状チャンバーと、のように前記第二の環状チャンバーを順に環状に囲む環状チャンバーを更に一つ以上有することを特徴とする請求項２記載のコンクリートの吸水試験装置。
【請求項４】
平面位置を同じくする開口面を有する平面視円形の中心チャンバー及び当該中心チャンバーを環状に囲む第一の環状チャンバー及び当該第一の環状チャンバーを環状に囲む第二の環状チャンバーと、これら各チャンバーのそれぞれに設けられてこれら各チャンバー内のそれぞれに液状流体を供給するための貯留部とを有する試験装置の前記各チャンバーの開口面をコンクリート表面に押し当て、前記貯留部に液状流体を貯めて前記各チャンバー内に前記液状流体を供給し、前記各チャンバー内の前記液状流体の前記コンクリートによる吸水量を計測して前記液状流体の供給開始からの経過時間と前記各チャンバー内の液状流体の吸水量との組み合わせデータを取得し、一方で、前記コンクリート表面からの深さ方向における透過係数分布を仮定した上で前記経過時間と前記各チャンバー内の液状流体の吸水量との組み合わせデータを計算し、当該計算による前記組み合わせデータが前記計測による前記組み合わせデータに対して予め定められた一致条件を満たすまで前記透過係数分布の仮定を変化させながら前記組み合わせデータの計算を繰り返し行うことによって前記透過係数分布を推定することを特徴とするコンクリートの透過係数分布の推定方法。
【請求項５】
前記試験装置が前記第二の環状チャンバーを環状に囲む第三の環状チャンバーと、当該第三の環状チャンバーを環状に囲む第四の環状チャンバーと、のように前記第二の環状チャンバーを順に環状に囲む環状チャンバーを更に一つ以上有し、前記組み合わせデータに四つ以上のチャンバー内の液状流体の吸水量が含まれることを特徴とする請求項４記載のコンクリートの透過係数分布の推定方法。
【請求項６】
平面位置を同じくする開口面を有する平面視円形の中心チャンバー及び当該中心チャンバーを環状に囲む第一の環状チャンバー及び当該第一の環状チャンバーを環状に囲む第二の環状チャンバーと、これら各チャンバーのそれぞれに設けられてこれら各チャンバー内のそれぞれに液状流体を供給するための貯留部とを有する試験装置の前記各チャンバーの開口面をコンクリート表面に押し当て、前記貯留部に液状流体を貯めて前記各チャンバー内に前記液状流体を供給し、前記各チャンバー内の前記液状流体の前記コンクリートによる吸水量を計測して取得された前記液状流体の供給開始からの経過時間と前記各チャンバー内の液状流体の吸水量との組み合わせデータを読み込む手段と、前記コンクリート表面からの深さ方向における透過係数分布を仮定した上で前記経過時間と前記各チャンバー内の液状流体の吸水量との組み合わせデータを計算する手段と、当該計算による前記組み合わせデータと前記計測による前記組み合わせデータとを対比する手段とを有し、前記計算による前記組み合わせデータが前記計測による前記組み合わせデータに対して予め定められた一致条件を満たすまで前記透過係数分布の仮定を変化させながら前記組み合わせデータの計算を繰り返し行うことによって前記透過係数分布を推定することを特徴とするコンクリートの透過係数分布の推定装置。
【請求項７】
前記試験装置が前記第二の環状チャンバーを環状に囲む第三の環状チャンバーと、当該第三の環状チャンバーを環状に囲む第四の環状チャンバーと、のように前記第二の環状チャンバーを順に環状に囲む環状チャンバーを更に一つ以上有し、前記組み合わせデータに四つ以上のチャンバー内の液状流体の吸水量値が含まれることを特徴とする請求項６記載のコンクリートの透過係数分布の推定装置。
【請求項８】
平面位置を同じくする開口面を有する平面視円形の中心チャンバー及び当該中心チャンバーを環状に囲む第一の環状チャンバー及び当該第一の環状チャンバーを環状に囲む第二の環状チャンバーと、これら各チャンバーのそれぞれに設けられてこれら各チャンバー内のそれぞれに液状流体を供給するための貯留部とを有する試験装置の前記各チャンバーの開口面をコンクリート表面に押し当て、前記貯留部に液状流体を貯めて前記各チャンバー内に前記液状流体を供給し、前記各チャンバー内の前記液状流体の前記コンクリートによる吸水量を計測して取得された前記液状流体の供給開始からの経過時間と前記各チャンバー内の液状流体の吸水量との組み合わせデータを読み込む手段、前記コンクリート表面からの深さ方向における透過係数分布を仮定した上で前記経過時間と前記各チャンバー内の液状流体の吸水量との組み合わせデータを計算する手段、当該計算による前記組み合わせデータと前記計測による前記組み合わせデータとを対比する手段としてコンピュータを機能させ、前記計算による前記組み合わせデータが前記計測による前記組み合わせデータに対して予め定められた一致条件を満たすまで前記透過係数分布の仮定を変化させながら前記組み合わせデータの計算を繰り返し行うことによって前記透過係数分布を推定することを特徴とするコンクリートの透過係数分布の推定プログラム。
【請求項９】
前記試験装置が前記第二の環状チャンバーを環状に囲む第三の環状チャンバーと、当該第三の環状チャンバーを環状に囲む第四の環状チャンバーと、のように前記第二の環状チャンバーを順に環状に囲む環状チャンバーを更に一つ以上有し、前記組み合わせデータに四つ以上のチャンバー内の液状流体の吸水量が含まれることを特徴とする請求項８記載のコンクリートの透過係数分布の推定プログラム。
【発明の詳細な説明】
【技術分野】
【０００１】
本発明は、コンクリートの吸水試験装置、並びに、コンクリートの透過係数分布の推定方法、推定装置及び推定プログラムに関する。さらに詳述すると、本発明は、コンクリートに内在する深さ方向の吸水性分布の非破壊での評価に用いて好適な吸水試験装置並びに透過係数分布の推定技術に関する。
【背景技術】
【０００２】
コンクリートの品質評価に用いられる透水試験法として、図８に示すように、ホース１０２Ａが連結された塩ビ管キャップ１０３をコンクリート試験体１０１の一端に取り付けると共に空体重量を予め測定したポリエチレン袋１０４をコンクリート試験体１０１の他端に取り付け、１．１気圧にて６０分間加圧してポリエチレン袋１０４に流入した透過水１０５の重量を測定することによって透水量を求めるものがある（特許文献１）。なお、図８において、符号１０６Ａ，１０６Ｂは加圧する水面高さを実現するための二つの水槽を表し、符号１０２Ｂは二つの水槽１０６Ａ，１０６Ｂを連結するホースを表し、符号１０７は二つの水槽１０６Ａ，１０６Ｂに貯留されて試験に用いられる水を表す。
【先行技術文献】
【特許文献】
【０００３】
【特許文献１】特開２０１２−９３２６３
【発明の概要】
【発明が解決しようとする課題】
【０００４】
しかしながら、特許文献１の透水試験法は実構造物に対して直接適用することは不可能であり、したがって実構造物のコンクリートについて試験を行う場合には当該実構造物のコンクリートから供試体を刳り貫くなどして取り出さなければならず、つまり実構造物を傷付けることになってしまい、したがって特に実構造物のコンクリートへの適用に関して汎用性が高いとは言い難い。
【０００５】
また、コンクリートの耐久性に影響を及ぼす代表的な施工因子として養生が挙げられるところ、養生が不十分な場合にはセメント水和に必要な水分がコンクリート表面から逸散してしまい、表層における品質の低下と共にコンクリート表面からの深さ方向における品質分布（言い換えると、品質の差違）とを生じる原因になる。
【０００６】
そして、特許文献１の方法を始めとする従来の透水試験法では、養生の良否を相対的に評価することはできても、コンクリートを深さ方向において均質体であると仮定して深さ方向の分布(変化)を平均化した透水性を評価することになるため、深さ方向の品質分布（具体的には透過係数の深さ方向における変化）を直接評価することはできない。このため、従来の透水試験法は、コンクリートの品質評価に必要な情報を十分に提供することができるとは言えず、したがって有用性・汎用性が高いとは言い難い。
【０００７】
そこで、本発明は、コンクリートにおける深さ方向の吸水性分布（具体的には透過係数の深さ方向における変化）を評価することができ、また、コンクリートにおける深さ方向の吸水性分布（具体的には透過係数の深さ方向における変化）を非破壊で評価することができるコンクリートの吸水試験装置並びにコンクリートの透過係数分布の推定方法、推定装置及び推定プログラムを提供することを目的とする。
【課題を解決するための手段】
【０００８】
かかる目的を達成するため、本発明のコンクリートの吸水試験装置は、平面位置を同じくする開口面を有する平面視円形の中心チャンバー及び当該中心チャンバーを環状に囲む環状チャンバーと、前記中心チャンバーと前記環状チャンバーとのそれぞれに設けられて前記中心チャンバー内と前記環状チャンバー内とのそれぞれに液状流体を供給するための貯留部とを有し、前記貯留部に液状流体を貯めて前記中心チャンバー内と前記環状チャンバー内とに前記液状流体を供給してからの前記中心チャンバー内の前記液状流体と前記環状チャンバー内の前記液状流体とのそれぞれのコンクリートによる吸水量を検出するようにしている。
【０００９】
したがって、このコンクリートの吸水試験装置によると、各チャンバーの開口面をコンクリート表面に押し当てた状態で各チャンバー内に液状流体を供給して各チャンバー内の液状流体のコンクリートによる吸水量の計測を行うことにより、液状流体の供給開始からの経過時間と径方向二層状（言い換えると、中心＋一環状）のチャンバー毎のチャンバー内の液状流体のコンクリートによる吸水量との組み合わせデータが取得される。そして、この組み合わせデータから、実構造物のコンクリートを破壊することなく、コンクリート表面からの深さ方向における透過係数の変化についての定性的な評価を行うことができる。なお、本発明においては、液状流体を吸収することを吸水と呼び、吸収量のことを吸水量と呼ぶ。
【００１０】
また、本発明のコンクリートの吸水試験装置は、平面位置を同じくする開口面を有する平面視円形の中心チャンバー及び当該中心チャンバーを環状に囲む第一の環状チャンバー及び当該第一の環状チャンバーを環状に囲む第二の環状チャンバーと、これら各チャンバーのそれぞれに設けられてこれら各チャンバー内のそれぞれに液状流体を供給するための貯留部とを有し、前記貯留部に液状流体を貯めて前記各チャンバー内に前記液状流体を供給してからの前記各チャンバー内の前記液状流体のコンクリートによる吸水量を検出するようにしている。
【００１１】
したがって、このコンクリートの吸水試験装置によると、各チャンバーの開口面をコンクリート表面に押し当てた状態で各チャンバー内に液状流体を供給して各チャンバー内の液状流体のコンクリートによる吸水量の計測を行うことにより、液状流体の供給開始からの経過時間と径方向三層状（言い換えると、中心＋二環状）のチャンバー毎のチャンバー内の液状流体のコンクリートによる吸水量との組み合わせデータが取得される。そして、この組み合わせデータから、実構造物のコンクリートを破壊することなく、コンクリート表面からの深さ方向における透過係数の変化についての定性的な評価を行うことができ、また、コンクリート表面からの深さ方向における透過係数分布（言い換えると、透過係数の変化）を推定することができる。
【００１２】
本発明のコンクリートの吸水試験装置においては、前記第二の環状チャンバーを環状に囲む第三の環状チャンバーと、当該第三の環状チャンバーを環状に囲む第四の環状チャンバーと、のように前記第二の環状チャンバーを順に環状に囲む環状チャンバーを更に一つ以上有するようにすることにより、液状流体の供給開始からの経過時間と径方向四層以上（言い換えると、中心＋三環状以上）のチャンバー毎のチャンバー内の液状流体のコンクリートによる吸水量との組み合わせデータが取得される。
【００１３】
また、本発明のコンクリートの透過係数分布の推定方法は、平面位置を同じくする開口面を有する平面視円形の中心チャンバー及び当該中心チャンバーを環状に囲む第一の環状チャンバー及び当該第一の環状チャンバーを環状に囲む第二の環状チャンバーと、これら各チャンバーのそれぞれに設けられてこれら各チャンバー内のそれぞれに液状流体を供給するための貯留部とを有する試験装置の前記各チャンバーの開口面をコンクリート表面に押し当て、前記貯留部に液状流体を貯めて前記各チャンバー内に前記液状流体を供給し、前記各チャンバー内の前記液状流体の前記コンクリートによる吸水量を計測して前記液状流体の供給開始からの経過時間と前記各チャンバー内の液状流体の吸水量との組み合わせデータを取得し、一方で、前記コンクリート表面からの深さ方向における透過係数分布を仮定した上で前記経過時間と前記各チャンバー内の液状流体の吸水量との組み合わせデータを計算し、当該計算による前記組み合わせデータが前記計測による前記組み合わせデータに対して予め定められた一致条件を満たすまで前記透過係数分布の仮定を変化させながら前記組み合わせデータの計算を繰り返し行うことによって前記透過係数分布を推定するようにしている。
【００１４】
また、本発明のコンクリートの透過係数分布の推定装置は、平面位置を同じくする開口面を有する平面視円形の中心チャンバー及び当該中心チャンバーを環状に囲む第一の環状チャンバー及び当該第一の環状チャンバーを環状に囲む第二の環状チャンバーと、これら各チャンバーのそれぞれに設けられてこれら各チャンバー内のそれぞれに液状流体を供給するための貯留部とを有する試験装置の前記各チャンバーの開口面をコンクリート表面に押し当て、前記貯留部に液状流体を貯めて前記各チャンバー内に前記液状流体を供給し、前記各チャンバー内の前記液状流体の前記コンクリートによる吸水量を計測して取得された前記液状流体の供給開始からの経過時間と前記各チャンバー内の液状流体の吸水量との組み合わせデータを読み込む手段と、前記コンクリート表面からの深さ方向における透過係数分布を仮定した上で前記経過時間と前記各チャンバー内の液状流体の吸水量との組み合わせデータを計算する手段と、当該計算による前記組み合わせデータと前記計測による前記組み合わせデータとを対比する手段とを有し、前記計算による前記組み合わせデータが前記計測による前記組み合わせデータに対して予め定められた一致条件を満たすまで前記透過係数分布の仮定を変化させながら前記組み合わせデータの計算を繰り返し行うことによって前記透過係数分布を推定するようにしている。
【００１５】
また、本発明のコンクリートの透過係数分布の推定プログラムは、平面位置を同じくする開口面を有する平面視円形の中心チャンバー及び当該中心チャンバーを環状に囲む第一の環状チャンバー及び当該第一の環状チャンバーを環状に囲む第二の環状チャンバーと、これら各チャンバーのそれぞれに設けられてこれら各チャンバー内のそれぞれに液状流体を供給するための貯留部とを有する試験装置の前記各チャンバーの開口面をコンクリート表面に押し当て、前記貯留部に液状流体を貯めて前記各チャンバー内に前記液状流体を供給し、前記各チャンバー内の前記液状流体の前記コンクリートによる吸水量を計測して取得された前記液状流体の供給開始からの経過時間と前記各チャンバー内の液状流体の吸水量との組み合わせデータを読み込む手段、前記コンクリート表面からの深さ方向における透過係数分布を仮定した上で前記経過時間と前記各チャンバー内の液状流体の吸水量との組み合わせデータを計算する手段、当該計算による前記組み合わせデータと前記計測による前記組み合わせデータとを対比する手段としてコンピュータを機能させ、前記計算による前記組み合わせデータが前記計測による前記組み合わせデータに対して予め定められた一致条件を満たすまで前記透過係数分布の仮定を変化させながら前記組み合わせデータの計算を繰り返し行うことによって前記透過係数分布を推定するようにしている。
【００１６】
したがって、これらのコンクリートの透過係数分布の推定方法、推定装置及び推定プログラムによると、各チャンバーの開口面をコンクリート表面に押し当てた状態で各チャンバー内に液状流体を供給して各チャンバー内の液状流体のコンクリートによる吸水量の計測を行うことによって取得された液状流体の供給開始からの経過時間と径方向三層状（言い換えると、中心＋二環状）のチャンバー毎のチャンバー内の液状流体のコンクリートによる吸水量との組み合わせデータを用いるようにしているので、実構造物のコンクリートを破壊することなく、コンクリート表面からの深さ方向における透過係数分布（言い換えると、透過係数の変化）を推定することができる。
【００１７】
本発明のコンクリートの透過係数分布の推定方法においては、前記試験装置が前記第二の環状チャンバーを環状に囲む第三の環状チャンバーと、当該第三の環状チャンバーを環状に囲む第四の環状チャンバーと、のように前記第二の環状チャンバーを順に環状に囲む環状チャンバーを更に一つ以上有し、前記組み合わせデータに四つ以上のチャンバー内の液状流体の吸水量が含まれるようにすることにより、また、本発明のコンクリートの透過係数分布の推定装置においては、前記試験装置が前記第二の環状チャンバーを環状に囲む第三の環状チャンバーと、当該第三の環状チャンバーを環状に囲む第四の環状チャンバーと、のように前記第二の環状チャンバーを順に環状に囲む環状チャンバーを更に一つ以上有し、前記組み合わせデータに四つ以上のチャンバー内の液状流体の吸水量が含まれるようにすることにより、また、本発明のコンクリートの透過係数分布の推定プログラムにおいては、前記試験装置が前記第二の環状チャンバーを環状に囲む第三の環状チャンバーと、当該第三の環状チャンバーを環状に囲む第四の環状チャンバーと、のように前記第二の環状チャンバーを順に環状に囲む環状チャンバーを更に一つ以上有し、前記組み合わせデータに四つ以上のチャンバー内の液状流体の吸水量が含まれるようにすることにより、情報量がより一層多いデータを用いてのコンクリート表面からの深さ方向における透過係数分布の推定を行うことができる。
【発明の効果】
【００１８】
本発明のコンクリートの吸水試験装置によれば、液状流体の供給開始からの経過時間と径方向二層状（中心＋一環状）のチャンバー毎のチャンバー内の液状流体のコンクリートによる吸水量或いは径方向三層状（中心＋二環状）のチャンバー毎のチャンバー内の液状流体のコンクリートによる吸水量との組み合わせデータを取得することができ、この組み合わせデータを用いてコンクリート表面からの深さ方向における透過係数の変化についての定性的な評価を行うことができるので、実構造物のコンクリートに対して直接行う計測であって実構造物のコンクリートを破壊する必要の無い計測によってコンクリートの品質評価に必要な情報を提供することが可能になり、したがってコンクリートの吸水性の非破壊試験法としての有用性・汎用性の向上を図ることが可能になる。
【００１９】
また、本発明のコンクリートの吸水試験装置によれば、液状流体の供給開始からの経過時間と径方向三層状（中心＋二環状）のチャンバー毎のチャンバー内の液状流体のコンクリートによる吸水量との組み合わせデータを取得することができ、この組み合わせデータを用いてコンクリート表面からの深さ方向における透過係数分布（言い換えると、透過係数の変化）を推定することができるので、実構造物のコンクリートに対して直接行う計測であって実構造物のコンクリートを破壊する必要の無い計測によってコンクリートの品質評価に有用な詳細な情報を提供することが可能になり、したがってコンクリートの吸水性の非破壊試験法としての有用性・汎用性のより一層の向上を図ることが可能になる。
【００２０】
さらに、本発明のコンクリートの吸水試験装置によれば、液状流体の供給開始からの経過時間と径方向四層以上（中心＋三環状以上）のチャンバー毎のチャンバー内の液状流体のコンクリートによる吸水量との組み合わせデータを取得するように構成することもできるので、情報量がより一層多いデータを取得することもでき、コンクリート表面からの深さ方向における透過係数分布の推定精度を向上させることが可能になる。
【００２１】
また、本発明のコンクリートの透過係数分布の推定方法、推定装置及び推定プログラムによれば、液状流体の供給開始からの経過時間と径方向三層状（中心＋二環状）のチャンバー毎のチャンバー内の液状流体のコンクリートによる吸水量との組み合わせデータを用いてコンクリート表面からの深さ方向における透過係数分布を推定することができるので、実構造物のコンクリートに対して直接行う計測であって実構造物のコンクリートを破壊する必要の無い計測によってコンクリートの品質評価に有用な詳細な情報を提供することが可能になり、したがってコンクリートの吸水性の非破壊試験法としての有用性・汎用性の向上を図ることが可能になる。
【００２２】
さらに、本発明のコンクリートの透過係数分布の推定方法、推定装置及び推定プログラムによれば、液状流体の供給開始からの経過時間と径方向四層以上（中心＋三環状以上）のチャンバー毎のチャンバー内の液状流体のコンクリートによる吸水量との組み合わせデータを用いてコンクリート表面からの深さ方向における透過係数分布を推定するように構成することもできるので、情報量がより一層多いデータを用いるようにしてコンクリート表面からの深さ方向における透過係数分布の推定精度を向上させることが可能になる。
【図面の簡単な説明】
【００２３】
【図１】本発明のコンクリートの吸水試験装置の実施形態の一例を示す図である。（Ａ）は底面図である。（Ｂ）は縦断面図である。
【図２】本発明のコンクリートの透過係数分布の推定方法の実施形態の一例を説明するフローチャートである。
【図３】実施形態のコンクリートの透過係数分布の推定方法をコンクリートの透過係数分布の推定プログラムを用いて実施する場合の当該プログラムによって実現されるコンクリートの透過係数分布の推定装置の機能ブロック図である。
【図４】本発明が想定している状況及び意図している計測結果を説明する図である。（Ａ）は本発明が想定している本発明のコンクリートの吸水試験装置による計測時のコンクリート内における液状流体の流れを説明する概念図である。（Ｂ）は本発明が意図しているチャンバー毎の液状流体の吸水量の計測結果を説明する概念図である。
【図５】コンクリートの透過係数分布を推定する際の座標系を説明する図である。
【図６】チャンバーの数が二つの場合の計測結果を説明する概念図である。
【図７】本発明のコンクリートの吸水試験装置をコンクリート表面に押し当てた状態で固定するための構成の一例を説明する縦断面図である。
【図８】従来の透水試験法を説明する図である。
【発明を実施するための形態】
【００２４】
以下、本発明の構成を図面に示す実施の形態の一例に基づいて詳細に説明する。
【００２５】
図１から図５に、本発明のコンクリートの吸水試験装置並びにコンクリートの透過係数分布の推定方法、推定装置及び推定プログラムの実施形態の一例を示す。
【００２６】
まず、本実施形態のコンクリートの吸水試験装置１は、平面位置を同じくする開口面を有する平面視円形の中心チャンバー４Ａ及び当該中心チャンバー４Ａを環状に囲む第一の環状チャンバーとしての中間チャンバー４Ｂ及び当該中間チャンバー４Ｂを環状に囲む第二の環状チャンバーとしての外周チャンバー４Ｃと、これら各チャンバー４Ａ，４Ｂ，４Ｃのそれぞれに設けられてこれら各チャンバー４Ａ，４Ｂ，４Ｃ内のそれぞれに液状流体としての水６を供給するための貯留部５Ａ，５Ｂ，５Ｃとを有し、貯留部５Ａ，５Ｂ，５Ｃに水６を貯めて各チャンバー４Ａ，４Ｂ，４Ｃ内に水６を供給してからの各チャンバー４Ａ，４Ｂ，４Ｃ内の水のコンクリート９による吸水量を検出するようにしている。
【００２７】
本実施形態のコンクリートの吸水試験装置１は、円筒状の周壁として形成されて同心円状に配置された径方向三層（言い換えると、三環状）の内隔壁２Ａ，中間隔壁２Ｂ，外隔壁２Ｃとこれら隔壁２Ａ，２Ｂ，２Ｃの上面を覆う天板３とを有し、内隔壁２Ａの内側に中心チャンバー４Ａが形成され、内隔壁２Ａと中間隔壁２Ｂとの間に環状（ドーナツ状）の中間チャンバー４Ｂが形成され、中間隔壁２Ｂと外隔壁２Ｃとの間に環状（ドーナツ状）の外周チャンバー４Ｃが形成される。そして、これら中心，中間，外周チャンバー４Ａ，４Ｂ，４Ｃは径方向三層（言い換えると、中心＋二環状）をなすように構成される。
【００２８】
全ての隔壁２Ａ，２Ｂ，２Ｃ及び天板３は、各チャンバー４Ａ，４Ｂ，４Ｃの水密性を確保することができるように、透水性がない材質で形成される。
【００２９】
なお、各隔壁２Ａ，２Ｂ，２Ｃの寸法は、特定の寸法に限定されるものではなく、試験の効率性や計測の精度や運搬・設置の容易性などを踏まえて適宜設定され得る。例えば、外隔壁２Ｃの外縁径を２００〜３００〔mm〕程度，高さを２０〜４０〔mm〕程度（天板を除く）にすることが考えられる。
【００３０】
また、各隔壁２Ａ，２Ｂ，２Ｃの、天板３とは反対側（言い換えると、吸水試験装置１としての開口側）の縁部には、計測を行う際にコンクリート９の表面に押し当てられて各チャンバー４Ａ，４Ｂ，４Ｃの水密性を確保するためのシール部材８が取り付けられる。シール部材８の材質や寸法(厚さ)などは特定のものには限定されない。具体的には例えばエチレンプロピレンゴム製のリングが各隔壁２Ａ等の縁部全周に亘って取り付けられる。
【００３１】
貯留部５Ａ，５Ｂ，５Ｃは、チャンバー４Ａ，４Ｂ，４Ｃ毎にこれら各チャンバー４Ａ，４Ｂ，４Ｃに連通して設けられる。本実施形態では、各貯留部５Ａ，５Ｂ，５Ｃは、各チャンバー４Ａ，４Ｂ，４Ｃ内からコンクリート９によって吸収された水６の量を各チャンバー４Ａ，４Ｂ，４Ｃ毎に計量する器具としての機能も果たし得るように、周壁に目盛が付与された管状のもの（具体的には例えばビュレットのようなもの）が用いられる。
【００３２】
なお、本発明のコンクリートの吸水試験装置は、コンクリートの表面に押し当てられた状態で計測を行うものであり、当該吸水試験装置をコンクリートの表面に押し当てた状態で固定する仕組みが必要とされる。この仕組みは、吸水試験装置１とコンクリート９の表面との間で水密性が確保される程度に吸水試験装置１をコンクリート９の表面に押し当てて固定することができるものであれば、特定の仕組みに限定されるものではない。具体的には例えば、検査・評価対象のコンクリート９の表面に押し当てた吸水試験装置１と周囲の構造物等との間に突っ支い部材を介在させて吸水試験装置１を押し当てて固定するようにしても良いし、吸水試験装置１自体が固定する仕組みを備えるようにしても良い。吸水試験装置１自体が固定する仕組みを備えるようにする場合の当該固定する仕組みとしては具体的には例えば、図７に示すように、上述の形態における外隔壁２Ｃを囲む円筒状の周壁２Ｘを更に備えるようにすると共に当該周壁２Ｘの範囲まで天板３で覆うようにして外周チャンバー４Ｃを環状に囲む外郭チャンバー４Ｘを備えるようにし、加えて、当該外郭チャンバー４Ｘを減圧(真空引き)するための真空源１１、及び、当該真空源１１と外郭チャンバー４Ｘとの間に介在して外郭チャンバー４Ｘの気密性の確保と開放とを制御し得るバルブ１２を更に備えるようにすることが考えられる。そして、吸水試験装置１をコンクリート９の表面に押し当て、バルブ１２を開いて真空源１１によって外郭チャンバー４Ｘ内を減圧(真空引き)してからバルブ１２を閉めることにより、外郭チャンバー４Ｘ内の負圧による吸引力で吸水試験装置１がコンクリート９の表面に押し当てられて固定される。なお、周壁２Ｘの、天板３とは反対側の縁部には、コンクリート９の表面に押し当てられてチャンバー４Ｘの気密性を確保するためのシール部材１３が取り付けられる。
【００３３】
そして、本発明のコンクリートの透過係数分布の推定方法、推定装置及び推定プログラムは、上述においてその実施形態の一例を説明した本発明のコンクリートの吸水試験装置を用いた計測によって取得されたデータを用いてコンクリートの透過係数のコンクリート表面からの深さ方向における分布を推定する。
【００３４】
具体的には、本実施形態のコンクリートの透過係数分布の推定方法は、図２に示すように、上述のコンクリートの吸水試験装置１の各チャンバー４Ａ，４Ｂ，４Ｃの開口面をコンクリート９の表面に押し当て、貯留部５Ａ，５Ｂ，５Ｃに水６を貯めて各チャンバー４Ａ，４Ｂ，４Ｃ内に水６を供給し、各チャンバー４Ａ，４Ｂ，４Ｃ内の水６のコンクリート９による吸水量を計測して水の供給開始からの経過時間と各チャンバー４Ａ，４Ｂ，４Ｃ内の水の吸水量との組み合わせデータを取得し（Ｓ１）、一方で、コンクリート９の表面からの深さ方向における透過係数分布を仮定した上で（Ｓ２−１）経過時間と各チャンバー４Ａ，４Ｂ，４Ｃ内の水の吸水量との組み合わせデータを計算し（Ｓ２−２）、当該計算による組み合わせデータが計測による組み合わせデータに対して予め定められた一致条件を満たすまで（Ｓ２−３：Ｙｅｓ）透過係数分布の仮定を変化させながら組み合わせデータの計算を繰り返し行うことによって（Ｓ２−１〜Ｓ２−３）透過係数分布を推定する（Ｓ２−４）ようにしている。
【００３５】
また、本実施形態のコンクリートの透過係数分布の推定装置は、上述のコンクリートの吸水試験装置１の各チャンバー４Ａ，４Ｂ，４Ｃの開口面をコンクリート９の表面に押し当て、貯留部５Ａ，５Ｂ，５Ｃに水６を貯めて各チャンバー４Ａ，４Ｂ，４Ｃ内に水６を供給し、各チャンバー４Ａ，４Ｂ，４Ｃ内の水６のコンクリート９による吸水量を計測して取得された水の供給開始からの経過時間と各チャンバー４Ａ，４Ｂ，４Ｃ内の水の吸水量との組み合わせデータを記憶装置から読み込む手段(１１ａ)と、コンクリート９の表面からの深さ方向における透過係数分布を仮定する手段(１１ｂ)と、前記透過係数分布の仮定を用いて経過時間と各チャンバー４Ａ，４Ｂ，４Ｃ内の水の吸水量との組み合わせデータを計算する手段(１１ｃ)と、当該計算による組み合わせデータと計測による組み合わせデータとを対比する手段(１１ｄ)とを有し、計算による組み合わせデータが計測による組み合わせデータに対して予め定められた一致条件を満たすまで透過係数分布の仮定を変化させながら組み合わせデータの計算を繰り返し行うことによって透過係数分布を推定するようにしている。
【００３６】
さらに、本実施形態のコンクリートの透過係数分布の推定プログラムは、上述のコンクリートの吸気試験装置１の各チャンバー４Ａ，４Ｂ，４Ｃの開口面をコンクリート９の表面に押し当て、貯留部５Ａ，５Ｂ，５Ｃに水６を貯めて各チャンバー４Ａ，４Ｂ，４Ｃ内に水６を供給し、各チャンバー４Ａ，４Ｂ，４Ｃ内の水６のコンクリート９による吸水量を計測して取得された水の供給開始からの経過時間と各チャンバー４Ａ，４Ｂ，４Ｃ内の水の吸水量との組み合わせデータを記憶装置から読み込む手段(１１ａ)、コンクリート９の表面からの深さ方向における透過係数分布を仮定する手段(１１ｂ)、前記透過係数分布の仮定を用いて経過時間と各チャンバー４Ａ，４Ｂ，４Ｃ内の水の吸水量との組み合わせデータを計算する手段(１１ｃ)、当該計算による組み合わせデータと計測による組み合わせデータとを対比する手段(１１ｄ)としてコンピュータを機能させ、計算による組み合わせデータが計測による組み合わせデータに対して予め定められた一致条件を満たすまで透過係数分布の仮定を変化させながら組み合わせデータの計算を繰り返し行うことによって透過係数分布を推定するようにしている。
【００３７】
そして、コンクリートの透過係数分布の推定方法の実行にあたっては、まず、上述のコンクリートの吸水試験装置を用いて各チャンバー内の水のコンクリートによる吸水量の計測が行われる（Ｓ１）。
【００３８】
具体的には、吸水試験装置１の各チャンバー４Ａ，４Ｂ，４Ｃの開口面が検査・評価対象のコンクリート９の表面に押し当てられ、貯留部５Ａ，５Ｂ，５Ｃに水６が貯められて各チャンバー４Ａ，４Ｂ，４Ｃ内に水６が供給される。
【００３９】
ここで、各貯留部５Ａ，５Ｂ，５Ｃ内の水６の水面位置は、計測を開始する初期状態としては同一にしておく。すなわち、計測開始時における各貯留部５Ａ，５Ｂ，５Ｃの水頭は同じにしておく。なお、計測中の各貯留部５Ａ，５Ｂ，５Ｃ内の水６の水面位置は、計測開始時における水面位置を保つ（すなわち、水面位置が一定に保たれるように各貯留部５Ａ，５Ｂ，５Ｃに対して給水を行う）ようにしても良いし、各貯留部５Ａ，５Ｂ，５Ｃに対して給水を行うことなく計測開始時における水面位置から変化させるようにしても良い。なお、計測中の各貯留部５Ａ，５Ｂ，５Ｃの水頭を一定に保つか或いは変化させるかの違いは、後述のＳ２−２の処理における吸水量の計算の際に計算条件として考慮する。
【００４０】
そして、貯留部５Ａ，５Ｂ，５Ｃを介して各チャンバー４Ａ，４Ｂ，４Ｃ内に水６の供給を開始した時点からの、各チャンバー４Ａ，４Ｂ，４Ｃのそれぞれからの、コンクリート９による吸水量を計測する。本実施形態では、各貯留部５Ａ，５Ｂ，５Ｃに付与されている目盛を用いて、貯留部５Ａ，５Ｂ，５Ｃ毎に各貯留部５Ａ，５Ｂ，５Ｃにおける水６の減少量としてチャンバー４Ａ，４Ｂ，４Ｃ毎のチャンバー内の水６のコンクリート９による吸水量を計測する。この計測により、互いに独立した密閉空間である各チャンバー４Ａ，４Ｂ，４Ｃ内からコンクリート９によって吸収される水の量の推移がチャンバー４Ａ，４Ｂ，４Ｃ毎に計測される。
【００４１】
上述の計測により、各チャンバー４Ａ，４Ｂ，４Ｃ内への水６の供給開始からの経過時間（以下、計測経過時間という）とチャンバー４Ａ，４Ｂ，４Ｃ毎の各チャンバー４Ａ，４Ｂ，４Ｃ内の水６のコンクリート９による吸水量との組み合わせデータが取得される。
【００４２】
ここで、本発明が想定している計測時のコンクリート９内における水６の流れ及び当該水６の流れの想定に基づく本発明が意図しているチャンバー４Ａ，４Ｂ，４Ｃ毎のチャンバー内の水６のコンクリート９による吸水量の計測結果を示すと図４のようになる。まず、本発明が想定しているコンクリートの吸水試験装置１による計測時のコンクリート９内における水６の流れは、同図(Ａ)中のコンクリート９内の矢印群のように、コンクリートの吸水試験装置１の外周チャンバー４Ｃ内の水６がコンクリート９の表層部分をコンクリートの吸水試験装置１の周囲に拡がりつつ吸収される流れを形成し、中心チャンバー４Ａ内の水６が周囲への拡がりは少なくそして前記外周チャンバー４Ｃ内から吸収される水６よりもコンクリート９内の深部に真っ直ぐ若しくは概ね真っ直ぐ吸収される割合が高い流れを形成し、中間チャンバー４Ｂ内の水６が外周チャンバー４Ｃ内の水６が吸収される流れと中心チャンバー４Ａ内の水６が吸収される流れとの間の周囲への拡がりをもってコンクリート９内に吸収される流れを形成するというものである。そして、このようなコンクリート９内における水６の流れの想定に基づき、本発明が意図しているチャンバー４Ａ，４Ｂ，４Ｃ毎のチャンバー内の水６のコンクリート９による吸水量の計測結果は、同図(Ｂ)のように、各チャンバー４Ａ，４Ｂ，４Ｃの開口面の面積が同じ若しくは概ね同じであれば（或いは、吸水量を開口面の面積で除したものとして表せば）、一般的には深部と比べて空隙が多いコンクリート９の表層に拡がって吸水される割合が高い外周チャンバー４Ｃ内の水６の吸水量(吸収される量)が最も多く、空隙が徐々に少なくなる深部に向かって吸収される割合が次第に高くなる中間チャンバー４Ｂ，中心チャンバー４Ａの順にチャンバー内の水６の吸水量(吸収される量)が少なくなるというものである。
【００４３】
次に、Ｓ１の処理によって計測され取得された計測経過時間とチャンバー毎のチャンバー内の水のコンクリートによる吸水量との組み合わせデータを用いてコンクリートの透過係数のコンクリート表面からの深さ方向における分布の推定が行われる（Ｓ２）。
【００４４】
ここで、本発明のコンクリートの透過係数分布の推定方法におけるこのＳ２の処理は本発明のコンクリートの透過係数分布の推定装置によって実行され得る。
【００４５】
そして、コンクリートの透過係数分布の推定方法におけるＳ２の処理及び当該処理を実行するコンクリートの透過係数分布の推定装置は、本発明のコンクリートの透過係数分布の推定プログラムをコンピュータ上で実行することによっても実現され得る。本明細書では、コンクリートの透過係数分布の推定プログラムをコンピュータ上で実行することによってＳ２の処理を実行するコンクリートの透過係数分布の推定装置が実現されると共にコンクリートの透過係数分布の推定方法におけるＳ２の処理が実行される場合を説明する。
【００４６】
コンクリートの透過係数分布の推定プログラム１７を実行するためのコンピュータ１０（本実施形態では、コンクリートの透過係数分布の推定装置１０でもある）の全体構成を図３に示す。このコンピュータ１０（コンクリートの透過係数分布の推定装置１０）は、制御部１１、記憶部１２、入力部１３、表示部１４及びメモリ１５を備え相互にバス等の信号回線によって接続されている。また、コンピュータ１０には記憶装置としてのデータサーバ１６がバス等の信号回線によって接続されており、その信号回線を介してデータや制御指令等の信号の送受信（即ち出入力）が相互に行われる。
【００４７】
制御部１１は記憶部１２に記憶されているコンクリートの透過係数分布の推定プログラム１７によってコンピュータ１０全体の制御並びにコンクリートの透過係数分布の推定に係る演算を行うものであり、例えばＣＰＵ（中央演算処理装置）である。
【００４８】
記憶部１２は少なくともデータやプログラムを記憶可能な装置であり、例えばハードディスクである。
【００４９】
メモリ１５は制御部１１が種々の制御や演算を実行する際の作業領域であるメモリ空間となるものであり、例えばＲＡＭ(Ｒandom Ａccess Ｍemory の略)である。
【００５０】
入力部１３は少なくとも作業者の命令を制御部１１に与えるためのインターフェイスであり、例えばキーボードである。
【００５１】
表示部１４は制御部１１の制御によって文字や図形等の描画・表示を行うものであり、例えばディスプレイである。
【００５２】
そして、本実施形態では、上述のＳ１の処理において計測され取得された計測経過時間とチャンバー４Ａ，４Ｂ，４Ｃ毎のチャンバー内の水６のコンクリート９による吸水量との組み合わせデータが吸水量計測値データベース１８としてデータサーバ１６に格納(保存)される。
【００５３】
そして、コンピュータ１０（本実施形態では、コンクリートの透過係数分布の推定装置１０でもある）の制御部１１には、コンクリートの透過係数分布の推定プログラム１７を実行することにより、Ｓ１の処理において計測され取得された水の供給開始からの経過時間（即ち、計測経過時間）とチャンバー４Ａ，４Ｂ，４Ｃ毎のチャンバー内の水６のコンクリート９による吸水量との組み合わせデータを記憶装置としてのデータサーバ１６から読み込む手段としてのデータ読込部１１ａと、コンクリート９の表面からの深さ方向における透過係数分布を仮定する手段としての透過係数分布仮定部１１ｂと、前記透過係数分布の仮定を用いて計測経過時間とチャンバー４Ａ，４Ｂ，４Ｃ毎のチャンバー内の水６のコンクリート９による吸水量との組み合わせデータを計算する手段としての吸水量計算部１１ｃと、当該計算による組み合わせデータと計測による組み合わせデータとを対比する手段としての対比部１１ｄとが構成される。
【００５４】
そして、コンクリートの透過係数分布の推定プログラム１７が実行されてコンピュータ１０（コンクリートの透過係数分布の推定装置１０）の制御部１１に構成されたデータ読込部１１ａは、計測経過時間とチャンバー４Ａ，４Ｂ，４Ｃ毎の吸水量との組み合わせデータの読み込みを行う。
【００５５】
具体的には、データ読込部１１ａは、Ｓ１の処理において計測され取得されてデータサーバ１６に格納されている吸水量計測値データベース１８に記録されている計測経過時間とチャンバー４Ａ，４Ｂ，４Ｃ毎のチャンバー内の水６のコンクリート９による吸水量との組み合わせデータをデータサーバ１６から読み込む。そして、データ読込部１１ａは前記データを計測による組み合わせデータとしてメモリ１５に記憶させる。
【００５６】
続いて、本発明では、以下の手順によってコンクリート表面からの深さ方向における透過係数分布（言い換えると、透過係数の変化）の推定を行う。
【００５７】
まず、制御部１１の透過係数分布仮定部１１ｂが、コンクリート表面からの深さ方向における透過係数分布を仮定する（Ｓ２−１）。
【００５８】
具体的には、目的変数としての液状水透過係数値Ｋdと説明変数としてのコンクリート表面からの深さｄとの間の関係を表す関数形を仮定する。液状水透過係数値Ｋdと深さｄとの間の関係を表す関数形は、特定のものに限定されるものではなく、例えば、既存若しくは新規の知見に基づいて設定するようにしても良いし、過去の実績を踏まえて適当と考えられる関数形に設定するようにしても良い。
【００５９】
具体的には例えば、液状水透過係数の深さ方向における分布（言い換えると、深さ方向における変化）を累乗関数である数式１を用いて定義することが考えられる。
（数１）  Ｋd＝ａｄb
ここに、Ｋd：表面からの深さｄにおけるコンクリートの液状水透過係数〔10-16ｍ2〕，
ｄ：コンクリート表面からの深さ〔ｍ〕，
ａ，ｂ：係数  をそれぞれ表す。
【００６０】
そして、本発明では、数式１の係数ａ，ｂを求める（言い換えると、逆解析によって特定する）ことにより、コンクリートの透過係数の、コンクリート表面からの深さ方向における分布を推定する。
【００６１】
本実施形態では、透過係数分布仮定部１１ｂが、数式１の係数ａ，ｂを仮定し、当該仮定した係数ａ，ｂの値をメモリ１５に記憶させる。なお、係数ａ，ｂの仮定の初期値は、特定の値に限定されるものではなく、既存若しくは新規の知見に基づいて設定するようにしても良いし、過去の実績を踏まえて適当と考えられる値に設定するようにしても良い。
【００６２】
次に、制御部１１の吸水量計算部１１ｃが、Ｓ２−１の処理において仮定されたコンクリート表面からの深さ方向における透過係数分布を用いて、時間の経過に伴うチャンバー４Ａ，４Ｂ，４Ｃ毎のチャンバー内の水のコンクリートによる吸水量の計算を行う（Ｓ２−２）。
【００６３】
具体的には、検査・評価対象のコンクリート構造物等における透過係数分布の推定対象部分(範囲)を円筒座標系に変換して二次元化し（図５参照）、基礎式として質量保存式（数式２）及び液体透過式として一般化されたダルシー式（数式３）を用いて数値計算を行い、時間ｔの経過に伴うチャンバー４Ａ，４Ｂ，４Ｃ毎のチャンバー内の水のコンクリと９による吸水量の計算を行う。なお、実構造物のコンクリートについての座標系の設定範囲は、コンクリートの吸水試験装置１の外隔壁２Ｃの外縁径及び当該外縁径の範囲を計測領域としたときの吸水の影響範囲を踏まえて適宜設定される。
【００６４】
【数２】
2014032126.tif 000003
ここに、ρl：液状水密度〔kg／ｍ3〕，
ψy：座標ｙにおけるコンクリートの空隙率，
Ｓl_xy：座標(ｘ，ｙ)におけるコンクリートの飽和度，
ｖl：液状水体積〔ｍ3〕，
ｔ：計測経過時間〔秒〕  をそれぞれ表す。
なお、本実施形態では透過の評価対象としての液状流体は水(液状水)であり、コンクリート内の場所によって気圧が異なっても密度や体積は変化しないとしているが、気圧の変化によって密度や体積が変化することを考慮するようにしても良い。。
【００６５】
【数３】
2014032126.tif 000004
ここに、Ｊl_xy：座標(ｘ，ｙ)における液状水フラックス〔ｍ／秒〕，
Ｋy：座標ｙにおけるコンクリートの液状水透過係数〔１０-16ｍ2〕，
μl：液状水の粘性係数〔Pa・秒〕，
Ｓl_xy：座標(ｘ，ｙ)におけるコンクリートの飽和度  をそれぞれ表す。
【００６６】
なお、数式２や数式３における円筒座標系におけるＹ座標は、数式１におけるコンクリート表面からの深さｄに対応する。
【００６７】
また、コンクリートの透過係数Ｋと空隙率ψとの間の関係を仮定する。具体的には、目的変数としての透過係数Ｋと説明変数としての空隙率ψとの間の関係式（即ち、Ｋ＝ｆ(ψ)）を仮定する。透過係数Ｋと空隙率ψとの間の関係式は、特定のものに限定されるものではなく、例えば、既存若しくは新規の知見に基づいて設定するようにしても良いし、過去の実績を踏まえて適当と考えられる関係式に設定するようにしても良い。
【００６８】
そして、本実施形態では、吸水量計算部１１ｃが、Ｓ２−１の処理においてメモリ１５に記憶された係数ａ，ｂの仮定値をメモリ１５から読み込み、これら係数ａ，ｂの仮定値及び数式１〜３及びコンクリートの透過係数Ｋと空隙率ψとの間の関係式（Ｋ＝ｆ(ψ)）を用いて計測経過時間別にチャンバー４Ａ，４Ｂ，４Ｃ毎のチャンバー内の水のコンクリート９による吸水量を計算する。すなわち上記で説明した計算であって概要としては、係数ａ，ｂを仮定した上で深さｄ（この深さｄは座標ｙに対応する）を与えると数式１によってコンクリートの液状水透過係数Ｋyが算出され、当該液状水透過係数Ｋyに対応するコンクリートの空隙率ψyがＫ＝ｆ(ψ)によって算出され、これら液状水透過係数Ｋyと空隙率ψyとを数式２及び数式３に代入した上で、各チャンバー４Ａ，４Ｂ，４Ｃ内の液状水減少量を計算する。なお、数式１〜３及びコンクリートの透過係数Ｋと空隙率ψとの間の関係式（Ｋ＝ｆ(ψ)）はコンクリートの透過係数分布の推定プログラム１７に予め規定される。
【００６９】
そして、吸水量計算部１１ｃは、計算された計測経過時間別のチャンバー４Ａ，４Ｂ，４Ｃ毎のチャンバー内の水のコンクリート９による吸水量を計算による組み合わせデータとしてメモリ１５に記憶させる。
【００７０】
次に、制御部１１の対比部１１ｄが、Ｓ１の処理において計測され取得された計測による組み合わせデータ（即ち、コンクリートの吸水試験装置１を用いての計測によって取得された計測経過時間とチャンバー４Ａ，４Ｂ，４Ｃ毎のチャンバー内の水６のコンクリート９による吸水量との組み合わせデータ）とＳ２−２の処理において計算された計算による組み合わせデータ（即ち、計測経過時間別のチャンバー４Ａ，４Ｂ，４Ｃ毎のチャンバー内の水のコンクリート９による吸水量）との対比を行う（Ｓ２−３）。
【００７１】
具体的には、対比部１１ｄが、Ｓ１の処理において計測され取得されてメモリ１５に記憶された計測による組み合わせデータとＳ２−２の処理において計算されてメモリ１５に記憶された計算による組み合わせデータとをメモリ１５から読み込み、これら二つの組み合わせデータを用いて計測経過時間毎にチャンバー４Ａ，４Ｂ，４Ｃ毎のチャンバー内の水のコンクリート９による吸水量を対比する。
【００７２】
そして、二つの組み合わせデータにおけるチャンバー４Ａ，４Ｂ，４Ｃ毎のチャンバー内の水のコンクリート９による吸水量の差違が予め定められた一致条件を満たしていない場合には（Ｓ２−３：Ｎｏ）、計算値が計測値と一致していないので、Ｓ２−１の処理に戻り、透過係数分布仮定部１１ｂが透過係数分布（具体的には、本実施形態では数式１の係数ａ，ｂの値）を変化させて仮定し直し、Ｓ２−２及びＳ２−３の処理をあらためて行う。
【００７３】
上述の処理の流れは言い換えると、計測による組み合わせデータと計算による組み合わせデータとの差違を最小化するように数式１の係数ａ，ｂの値を逐次変化させながら繰り返し計算を行ってこれら係数ａ，ｂの値を最適化するという非線形最適化問題を解くということである。なお、非線形最適化問題の解法は、特定の方法に限定されるものではなく、既存若しくは新規の解法が用いられ、具体的には例えば勾配法のうちの最急降下法が用いられ得る。
【００７４】
なお、計測経過時間別のチャンバー４Ａ，４Ｂ，４Ｃ毎のチャンバー内の水のコンクリート９による吸水量の計測値と計算値とが一致しているか否かを判断するための一致条件は、特定のものに限定されるものではなく、コンクリート表面からの深さ方向における透過係数分布の推定結果の活用場面等を踏まえて要請として設定され得る推定精度などを考慮して適宜設定される。例えば、計測経過時間別のチャンバー毎のチャンバー内の水のコンクリートによる吸水量の計測値と計算値との差の絶対値の合計の上限を定めておくようにしたり、前記差の絶対値の最大値の上限を定めておくようにしたりすることなどが考えられる。
【００７５】
上述の一致条件を含む非線形最適化問題の解法に纏わる処理はコンクリートの透過係数分布の推定プログラム１７に予め規定される。
【００７６】
一方、二つの組み合わせデータにおけるチャンバー４Ａ，４Ｂ，４Ｃ毎のチャンバー内の水のコンクリートによる吸水量の差違が予め定められた一致条件を満たしている場合には（Ｓ２−３：Ｙｅｓ）、計算値が計測値と一致しているので、直前のＳ２−１の処理において仮定された透過係数分布が実際の透過係数分布であると特定する、すなわち、直前のＳ２−１の処理において仮定された透過係数分布を推定結果とする（Ｓ２−４）。
【００７７】
そして、対比部１１ｄは、Ｓ２の処理による推定結果として、コンクリート表面からの深さ別のコンクリートの透過係数の値を折線グラフとして描画して表示部１４に表示したり、数式１の係数ａ，ｂの値を例えば記憶部１２やデータサーバ１６内に推定結果データファイルとして保存したりする。
【００７８】
そして、制御部１１は、コンクリートの透過係数分布の推定の処理を終了する（ＥＮＤ）。
【００７９】
以上の構成を有する本発明のコンクリートの吸水試験装置１によれば、各チャンバー４Ａ，４Ｂ，４Ｃの開口面をコンクリート９の表面に押し当てた状態で各チャンバー４Ａ，４Ｂ，４Ｃ内に水６を供給して各チャンバー４Ａ，４Ｂ，４Ｃ内の水６のコンクリート９による吸水量（実際の対象としては、貯留部５Ａ，５Ｂ，５Ｃ毎の貯留部内の水６の減少量）の計測を行うことにより、水の供給開始からの経過時間と径方向三層状（言い換えると、中心＋二環状）のチャンバー４Ａ，４Ｂ，４Ｃ毎のチャンバー内の水６のコンクリート９による吸水量との組み合わせデータを取得することができる。そして、この組み合わせデータから、コンクリート９の表面からの深さ方向における透過係数分布（言い換えると、透過係数の変化）を推定することができる。
【００８０】
また、以上の構成を有する本発明のコンクリートの透過係数分布の推定方法、推定装置及び推定プログラムによれば、各チャンバー４Ａ，４Ｂ，４Ｃの開口面をコンクリート９の表面に押し当てた状態で各チャンバー４Ａ，４Ｂ，４Ｃ内に水６を供給して各チャンバー４Ａ，４Ｂ，４Ｃ内の水のコンクリート９による吸水量（実際の対象としては、貯留部５Ａ，５Ｂ，５Ｃ毎の貯留部内の水６の減少量）の計測を行うことによって取得された水の供給開始からの経過時間と径方向三層状（言い換えると、中心＋二環状）のチャンバー４Ａ，４Ｂ，４Ｃ毎のチャンバー内の水６のコンクリート９による吸水量との組み合わせデータを用いるようにしているので、コンクリート９の表面からの深さ方向における透過係数分布（言い換えると、透過係数の変化）を推定することができる。
【００８１】
なお、上述の形態は本発明の好適な形態の一例ではあるものの本発明の実施の態様が上述の形態に限定されるものではなく、本発明の要旨を逸脱しない範囲において種々変形実施可能である。例えば、上述の実施形態では各隔壁２Ａ，２Ｂ，２Ｃの開口側縁部にシール部材８が取り付けられるようにしているが、各チャンバー４Ａ，４Ｂ，４Ｃの水密性を確保するためのシール部材８のような仕組みは試験装置自体に取り付けられなくても良く、計測を行う際に各隔壁２Ａ，２Ｂ，２Ｃの開口側縁部の形状・大きさに合わせてシール剤をコンクリート９の表面に塗布したり盛ったりして当該シール剤の位置に各隔壁２Ａ，２Ｂ，２Ｃの開口側縁部を合わせて押し当てるようにしても良い。
【００８２】
また、上述の実施形態では径方向三層（言い換えると、三環状）の隔壁２Ａ，２Ｂ，２Ｃを有するようにしてこれら隔壁によって形成される径方向三層（言い換えると、中心＋二環状）のチャンバー４Ａ，４Ｂ，４Ｃを有する構造としているが、本発明における層構造を構成するチャンバーの数は三つに限られるものではなく、二つでも良いし、四つ以上でも良い。
【００８３】
そして、チャンバーの数が二つ（すなわち、平面視円形の中心チャンバーと当該中心チャンバーを環状に囲む環状チャンバーとの二層構造）であるコンクリートの吸水試験装置を用いて同一コンクリート構造物の複数箇所で計測を行い、例えば図６に示すような計測結果が得られた場合にはこれらの結果を用いてコンクリートの品質について定性的な評価を行うことができる。具体的には、同図(ａ)に示す結果と比べて同図(ｂ)に示す結果の方が中心チャンバー内の水のコンクリートによる吸水量の変化と環状チャンバー内の水のコンクリートによる吸水量の変化との乖離が大きくなっていることから（(ａ)における吸水量の乖離は符号Ｄ1，(ｂ)における吸水量の乖離は符号Ｄ2で示され、Ｄ2＞Ｄ1である）コンクリート表層における透過係数が極端に大きくなっていると考えられ、この点において、同図(ａ)に示す結果が得られた箇所に比べて同図(ｂ)に示す結果が得られた箇所の方がコンクリートの品質が悪いと評価することができる。
【００８４】
また、チャンバーの数を四つ以上（すなわち、平面視円形の中心チャンバーと当該中心チャンバーを順に環状に囲む三つ以上の環状チャンバーとの四層以上の構造）にすると、上記のような定性的な評価に加え、上述の実施形態のようにコンクリート表面からの深さ方向における透過係数分布を解析的に推定することができる。さらに、チャンバーによって構成する層の数を多くすることにより、取得される計測経過時間とチャンバー毎のチャンバー内の水のコンクリートによる吸水量との組み合わせデータの情報量が増え、結果的に、コンクリート表面からの深さ方向における透過係数分布の推定精度を向上させることができる。
【００８５】
また、上述の実施形態では液状流体として水６を用いるようにしてコンクリート９内の透過の評価対象は水であるようにしているが、本発明における透過の評価対象（言い換えると、コンクリート９内を透過する物）は液状流体であれば水には限られない。すなわち、検査・評価対象のコンクリート９の使用実態や評価の目的などに合わせて透過の評価対象は適宜選択され得る。
【００８６】
また、上述の実施形態ではコンクリート９の表面からの深さ方向における透過係数分布を仮定した上で計測経過時間と吸水量との組み合わせデータを計算した後に当該計算による組み合わせデータが計測による組み合わせデータに対して一致条件を満たすまで透過係数分布の仮定を変化させながら組み合わせデータの計算を繰り返し行うようにしているが、これに限られず、複数の透過係数分布の仮定に基づく計測経過時間と吸水量との組み合わせデータを予め計算しておき、計測によって得られた組み合わせデータに最も良く一致する計算による組み合わせデータを選択して当該計算による組み合わせデータが前提としている透過係数分布を推定結果として特定するようにすることも考えられる。
【符号の説明】
【００８７】
１    コンクリートの吸水試験装置
２Ａ  内隔壁
２Ｂ  中間隔壁
２Ｃ  外隔壁
３    天板
４Ａ  中心チャンバー
４Ｂ  中間チャンバー
４Ｃ  外周チャンバー
５Ａ，５Ｂ，５Ｃ  貯留部
６    水
８    シール部材
９    コンクリート
【図１】
2014032126.tif 000005
【図２】
2014032126.tif 000006
【図３】
2014032126.tif 000007
【図４】
2014032126.tif 000008
【図５】
2014032126.tif 000009
【図６】
2014032126.tif 000010
【図７】
2014032126.tif 000011
【図８】
2014032126.tif 000012